(57)【要約】【目的】  ノズルヘッドを押し下げた分の薬液を吐出させるポンプディスペンサー装置付きの吐出容器にて洗剤等を使用する場合に、吐出させたい量には個人差がある。メーカーによって提供される吐出容器には吐出量を自由に変えることはできず、少量使いたい場合は半分くらいノズルヘッドを押す等の工夫が必要だった。そこで、一番下まで押し下げても吐出容器から内容液を使用者の必要量で毎回一定量を吐出させられることを目的とする。【解決手段】  吐出容器のポンプディスペンサー装置において、ノズルヘッドから下のポンプ装置に繋がる軸にねじの加工を施し、その溝に合うように回すことで上下する調節具を設ける。ノズルヘッドを押し下げた際に調節具がキャップに当たることにより上下方向の移動距離を規制して、使用者の薬液の必要量が吐出されるものとなる。又は、ノズルヘッドを回転させることで軸が伸び縮みして上下移動を制限するポンプディスペンサーを提供する。【選択図】図１
2012101211.tif 000002
【特許請求の範囲】
【請求項１】
吐出容器に用いられるノズルヘッドを押し下げた分の液体を吐出させるポンプディスペンサー装置において、ノズルヘッド（１）から下のポンプ装置に繋がる軸（２）の外周におねじ又はめねじの、ねじ加工（４）又は、逆ねじ加工を施し、その溝に合うように回すことで上下する調節具（３）を設けたことを特徴としたポンプディスペンサー。
【請求項２】
請求項１におけるポンプディスペンサーの調節具（３）の形状は多角形にしたり、丸型の調節具の場合には外周には凸凹の加工をする等して滑り止めを設け、より回し易いように突起があってもよい事を特徴とした調節具（３）。
【請求項３】
従来のノズルヘッドを押し下げた分の液体を吐出させるポンプディスペンサーの出荷状態はノズルヘッド（１）を一番下まで押し下げてキャップ（６）にねじ回して、上下移動を固定していたが、その収納方法も可能とするため、請求項２の調節具（３）の下部には収納用のねじ山（５）を設けてもよいし、調節具を一番下まで下ろしキャップ（６）と密着させることにより固定されることを特徴とした請求項１のポンプディスペンサー。
【請求項４】
請求項２における調節具（３）、又は収納時のねじ山（５）の下には、ねじ加工（４）又は、逆ねじ加工された軸（２）の外周を収納時のねじ山（５）の機能を失わない程度の厚みを持った包み込む筒を調節具（３）に固定した状態で設け、ノズルヘッド（１）を押し下げた場合にはキャップ（６）内部まで入り込み、キャップ（６）内部への外からの液体の進入を防げる特徴を持った調節具。
【請求項５】
吐出容器に用いられるノズルヘッド（１）を押し下げた分の薬液を吐出させるポンプディスペンサー装置において、ノズルヘッド（１）下部の軸（２）自体が伸び縮みするようなねじ構造を設け、キャップ（６）に近い方の軸（２）を指で押さえながら、ノズルヘッド（１）を回転させることで伸び縮みして上下移動を制限するポンプディスペンサー。
【請求項６】
トリガー式のポンプディスペンサーの場合、トリガーからポンプ部へ繋がる軸にも外周におねじ又はめねじの、ねじ加工（４）又は、逆ねじ加工を施し、その溝に合うように回すことで移動制限を可能とする調節具（３）を設けたポンプディスペンサー。
【請求項７】
使用者の調節具（３）を移動する目安として、ねじ加工（４）又は逆ねじ加工された軸（２）に目盛りを入れてもよいし、切れ込みや、所々色を変える等、目安を設けた請求項１のポンプディスペンサー。
【発明の詳細な説明】
【技術分野】
【０００１】  本発明は、プッシュポンプ・吐出容器におけるポンプディスペンサーにより吐出される液量を使用者に応じて一定量を吐出させることのできるポンプディスペンサーに関するものである。
【背景技術】
【０００２】  従来、洗剤等に多く用いられる吐出容器は、ノズルヘッドを押すことにより吐出口から一定量の薬液を吐出できるポンプ容器が使用されている。
【先行技術文献】
【０００３】
【特許文献１】特許２００９−２９８４２２
【発明の概要】
【発明が解決しようとする課題】
【０００４】  従来、吐出容器に用いられるノズルヘッドを押し下げた分の薬液を吐出させるポンプディスペンサーにおいて洗剤等を使用する場合に、吐出させたい量には個人差がある。
メーカーによって提供される吐出容器には吐出量を自由に変えることはできず、少量使いたい場合は半分くらいノズルヘッドを押す等の工夫が必要だった。しかし、子供が使用する場合、無駄に吐出させてしまったりエコの観点からも好ましいことではなかった。そこで、吐出容器から内容液を使用者の必要量で毎回一定量を吐出させられることを目的とする。本発明は以上の問題点を解決するものである。
【課題を解決するための手段】
【０００５】  吐出容器に用いられるノズルヘッドを押し下げた分の薬液を吐出させるポンプディスペンサー装置において、ノズルヘッドから下のポンプ装置に繋がる軸におねじ、又はめねじの加工を施し、その溝に合うように回すことで上下する調節具を設ける。ノズルヘッドを押し下げた際に調節具がキャップに当たることにより上下方向の移動距離を規制して、使用者の薬液の必要量が吐出されるものとなる。また調節具の形状は多角形にしたり、丸型の調節具でも外周には凸凹の加工をする等して滑り止めを設ける。また、従来通りの収納も可能とするため、調節具の下部には収納用のねじ山を設けてもよい。又は、ノズルヘッド下部の軸自体が伸び縮みするようなねじ構造を設け、ノズルヘッドを回転させることで伸び縮みして上下移動を制限するポンプディスペンサーでも問題点を解決できるものである。
【発明の効果】
【０００６】  本発明の吐出容器のポンプディスペンサーによれば、ポンプ装置の軸にネジ状の調節具又は軸自体をネジ状にして上下移動を制限することにより、使用者が吐出させたい量を毎回一定にすることができる。また調節具下部に収納用のねじ山を設けることで、従来と同じように収納して出荷することが可能となる。ねじ構造での上下移動制限なので、微調節が可能となり、誰が押しても同じ量が出るので無駄に薬液を吐出することがない。
【図面の簡単な説明】
【０００７】
【図１】本発明の使用状態を示す図
【図２】本発明を分解した図
【発明を実施するための形態】
【０００８】  出荷時には収納時ねじ山（５）がキャップ（６）内に収められていて、回すことでポンプディスペンサーのノズルヘッド（１）が上に持ち上がり、ポンプディスペンサーが使用可能な状態となる。もしくは収納時ねじ山（５）を設けなかった場合は調節具（３）をキャップ（６）に密着させるようにねじ回すことでノズルヘッドが固定されている状態をノズルヘッド（１）側にねじ回すことで使用可能となるポンプディスペンサーを用い、ノズルヘッド（１）下部にある軸（２）にある調節具（３）をノズルヘッド（１）を押さえて回転・逆回転させることで調節具（３）が上下して、それによってノズルヘッド（１）を押した時に調節具（３）がキャップ（６）にあたることで吐出量が制限される。使用者の吐出させたい量を調節具（３）によって決めた上で使用する。使用したい液量が増えた場合には調節具（３）をノズルヘッド（１）に近い方向へ回し、使用したい液量が少量でもよい場合にはキャップ（６）に近い方向へ回すことで、安易に薬量を調節できる。
【他の実施形態】
【０００９】  ノズルヘッド下部にある軸自体が伸び縮みするようなねじ構造を設け、キャップに近い軸を指で押さえながらノズルヘッドを回転させることで軸が伸び縮みして上下移動を制限させる方法もある。
【符号の説明】
【００１０】１、ノズルヘッド  ２、軸  ３、調節具  ４、ねじ加工  ５、収納時のねじ山
６、キャップ  ７、容器
【図１】
2012101211.tif 000003
【図２】
2012101211.tif 000004